(57)【要約】【課題】携帯の便宜性を考慮して、本体軸の伸縮を可能にした伸縮式シャープペンシルを提供する。【解決手段】本体軸１を、先軸２に対して後軸３の前端３ａが軸方向に相対的に移動可能に嵌挿されるようにして伸縮可能にする。後軸３を後方に引張って、本体軸１を伸長状態することにより、スライド金具１２が後方に移動して、先軸２に設けた先端金具４の前端４ａが露出されるとともに、後軸３の後端３ｂに設けたノックキャップ１１のノック操作によって、先端金具４内に内蔵した芯出し機構６が作動し、先端金具４の前端４ａからの芯出しを可能にする。後軸３を前方に押し込んで、本体軸１を短縮状態にすることにより、スライド金具１２の前方への移動により、先端金具４の前端４ａがスライド金具１２内に没入されるようにする。【選択図】    図１
2009196258.tif 000002
【特許請求の範囲】
【請求項１】
本体軸を、先軸と、この先軸に前端を嵌挿して、先軸に対して相対的に軸方向に移動可能にした後軸とにより構成して、本体軸を伸縮可能にし、先軸内に、前端を先軸の前端から突出させた先端金具を設け、この先端金具内に芯出し機構を内蔵させるとともに、先端金具の前端を保護しうるスライド金具を設け、後軸を後方に引張って本体軸を伸長状態にすることにより、スライド金具が後方に移動して、先端金具の前端がスライド金具より露出するとともに、後軸に設けたノックキャップのノック操作によって、芯出し機構が作動し、先端金具の前端から芯出しが可能となり、かつ後軸を前方に押し込んで、本体軸を短縮状態にすることにより、スライド金具が前方に移動して、先端金具の前端がスライド金具内に没入されるようにしたことを特徴とする伸縮式シャープペンシル。
【請求項２】
本体軸を、先軸と、この先軸に前端を内挿して、先軸に対して相対的に軸方向に移動可能にした後軸とにより構成して、本体軸を伸縮可能にし、先軸内に、前端を先軸の前端から突出させ、後端を先端金具固定具によって先軸に一体に固定した先端金具を設け、この先端金具に後軸の後端に設けたノックキャップのノック操作に連動して軸方向に移動する芯収容パイプによって作動する芯出し機構を内蔵させるとともに、先軸の前端に、先端金具の前端を保護しうるスライド金具を、先軸に対して相対的に軸方向に移動可能に設け、後軸を後方に引張って本体軸を伸長状態にすることにより、スライド金具が後方に移動して、先端金具の前端がスライド金具より露出するとともに、芯収容パイプと後軸とがロック機構によってロックされて、両者の相対的な軸方向の移動が規制され、後軸の後端に設けたノックキャップのノック操作によって、芯収容パイプを介して芯出し機構が作動し、先端金具の前端から芯出しが可能となり、かつ前記ロックを解除して、後軸を前方に押し込んで、本体軸を短縮状態にすることにより、スライド金具が前方に移動して、先端金具の前端がスライド金具内に没入されるようにしたことを特徴とする伸縮式シャープペンシル。
【請求項３】
スライド金具を、付勢体により後方に向けて付勢することにより、本体軸の後軸を後方へ引張り動作したときに、これに追従して後方に移動して、所定の後退位置で停止するとともに、後軸を前方へ押込み動作したときに、スライド金具と後軸との間に介在した押し棒により、前記付勢体の付勢力に抗して、元の位置に移動させうるようにした請求項１または２記載の伸縮式シャープペンシル。
【請求項４】
ロック機構を、本体軸の外側から操作しうる操作ボタンと、後軸を後方に引張って本体軸を伸長状態にしたときに、自動的にロック状態となるロック部とにより構成し、前記操作ボタンの操作により、ロック部のロックが解除されるようにした請求項１〜３のいずれかに記載の伸縮式シャープペンシル。
【請求項５】
ロック機構を、頭部を後軸の外周に突出させた解除ボタンと、この解除ボタンに一体に連係し、かつ芯収容パイプが軸方向に内挿される筒状ストッパと、この筒状ストッパの内周面を芯収容パイプの外周面に弾性的に摺接しうるように、解除ボタンを芯収容パイプの径方向の外方に向けて付勢する付勢体とにより構成するとともに、芯収容パイプの後端部に、後軸を後方に引張って本体軸を伸長状態にしたときに、筒状ストッパの内周面が前記付勢体の付勢力により係止される係止段部を設けて、後軸と芯収容パイプとがノック操作に協動しうるようにロック可能にした請求項４記載の伸縮式シャープペンシル。
【請求項６】
後軸と芯収容パイプとのロック状態において、後軸の前端と押し棒の後端との間に、ノックキャップのノック操作によりスライダ金具を移動させずに芯出し機構を作動せしめるようにするためのノック間隔を形成した請求項１〜５のいずれかに記載の伸縮式シャープペンシル。
【発明の詳細な説明】
【技術分野】
【０００１】
本発明は、本体軸を、携帯時には短く、筆記時には長くなるように伸縮自在にした伸縮式シャープペンシルに関する。
【背景技術】
【０００２】
従来の筆記具としては、本体軸を、先軸と後軸とにより相対的に伸縮可能にして、携帯時には短くし、筆記時には長くなるようにするとともに、先軸の前端に、本体軸内に装填したペンリフィールのペンチップが没入されるスライド金具を設け、かつ後軸を先軸に対して相対的に後方に移動させて、スライド金具を後方に移動させることにより、スライド金具内に没入されたペンリフィールのペンチップを露出させて使用しうるようにしたボールペン（特許文献１〜３参照）が公知である。
【０００３】
しかし、前記の筆記具は、ボールペンに係わるものであって、ノック操作による芯出しを伴うノック式シャープペンシルに、伸縮構造を有する本体軸を適用した事例は見当たらない。
【０００４】
ノック式シャープペンシルにおいては、ノック操作は、本体軸の後端のノックキャップを操作することにより行うため、本体軸を伸縮可能にすることは、困難とみられていた。
【特許文献１】特開平２−５７０４０号公報
【特許文献２】特開２００２−６７５７７号公報
【特許文献３】特開２００６−２８９７６７号公報
【発明の開示】
【発明が解決しようとする課題】
【０００５】
本発明は、前記の現状に鑑み、携帯の便宜性を考慮して、本体軸の伸縮を可能にした伸縮式シャープペンシルを提供することを目的とする。
【課題を解決するための手段】
【０００６】
上記課題は、特許請求の範囲における各請求項に示すように、下記の構成を備える発明によって解決される。
（１）  本体軸を、先軸と、この先軸に前端を嵌挿して、先軸に対して相対的に軸方向に移動可能にした後軸とにより構成して、本体軸を伸縮可能にし、先軸内に、前端を先軸の前端から突出させた先端金具を設け、この先端金具内に芯出し機構を内蔵させるとともに、先端金具の前端を保護しうるスライド金具を設け、後軸を後方に引張って本体軸を伸長状態にすることにより、スライド金具が後方に移動して、先端金具の前端がスライド金具より露出するとともに、後軸に設けたノックキャップのノック操作によって、芯出し機構が作動し、先端金具の前端から芯出しが可能となり、かつ後軸を前方に押し込んで、本体軸を短縮状態にすることにより、スライド金具が前方に移動して、先端金具の前端がスライド金具内に没入されるようにする。
【０００７】
（２）  本体軸を、先軸と、この先軸に前端を内挿して、先軸に対して相対的に軸方向に移動可能にした後軸とにより構成して、本体軸を伸縮可能にし、先軸内に、前端を先軸の前端から突出させ、後端を先端金具固定具によって先軸に一体に固定した先端金具を設け、この先端金具に後軸の後端に設けたノックキャップのノック操作に連動して軸方向に移動する芯収容パイプによって作動する芯出し機構を内蔵させるとともに、先軸の前端に、先端金具の前端を保護しうるスライド金具を、先軸に対して相対的に軸方向に移動可能に設け、後軸を後方に引張って本体軸を伸長状態にすることにより、スライド金具が後方に移動して、先端金具の前端がスライド金具より露出するとともに、芯収容パイプと後軸とがロック機構によってロックされて、両者の相対的な軸方向の移動が規制され、後軸の後端に設けたノックキャップのノック操作によって、芯収容パイプを介して芯出し機構が作動し、先端金具の前端から芯出しが可能となり、かつ前記ロックを解除して、後軸を前方に押し込んで、本体軸を短縮状態にすることにより、スライド金具が前方に移動して、先端金具の前端がスライド金具内に没入されるようにする。
【０００８】
（３）  上記（１）項または（２）項において、スライド金具を、付勢体により後方に向けて付勢することにより、本体軸の後軸を後方へ引張り動作したときに、これに追従して後方に移動して、所定の後退位置で停止するとともに、後軸を前方へ押込み動作したときに、スライド金具と後軸との間に介在した押し棒により、前記付勢体の付勢力に抗して、元の位置に移動させうるようにする。
【０００９】
（４）  上記（１）〜（３）項のいずれかにおいて、ロック機構を、本体軸の外側から操作しうる操作ボタンと、後軸を後方に引張って本体軸を伸長状態にしたときに、自動的にロック状態となるロック部とにより構成し、前記操作ボタンの操作により、ロック部のロックが解除されるようにする。
【００１０】
（５）  上記（４）項において、ロック機構を、頭部を後軸の外周に突出させた解除ボタンと、この解除ボタンに一体に連係し、かつ芯収容パイプが軸方向に内挿される筒状ストッパと、この筒状ストッパの内周面を芯収容パイプの外周面に弾性的に摺接しうるように、解除ボタンを芯収容パイプの径方向の外方に向けて付勢する付勢体とにより構成するとともに、芯収容パイプの後端部に、後軸を後方に引張って本体軸を伸長状態にしたときに、筒状ストッパの内周面が前記付勢体の付勢力により係止される係止段部を設けて、後軸と芯収容パイプとがノック操作に協動しうるようにロック可能にする。
【００１１】
（６）  上記（１）〜（５）項のいずれかにおいて、後軸と芯収容パイプとのロック状態において、後軸の前端と押し棒の後端との間に、ノックキャップのノック操作によりスライダ金具を移動させずに芯出し機構を作動せしめるようにするためのノック間隔を形成する。
【発明の効果】
【００１２】
本発明によると、次のような効果が奏せられる。
請求項１項記載の発明によれば、先軸に後軸の前端を嵌挿して、後軸を先軸に対して相対的に軸方向に移動可能に構成して、本体軸を伸縮可能にしているため、携帯の便宜性を高めることができる。
また、先軸内に、先端金具の前端を先軸の前端から突出させるとともに、先端金具の前端を保護しうるスライド金具を設け、かつ後軸を後方に引張って本体軸を伸長状態にすることにより、スライド金具が後方に移動して、先端金具の前端がスライド金具より露出されるようにし、また後軸を前方に押し込んで、本体軸を短縮状態にすることにより、スライド金具が前方に移動して、先端金具の前端をスライド金具内に没入されるようにしてあるため、使用時における先端金具の前端の露出を、本体軸の伸長に伴う後軸の後方への引張りによって行い、不使用時における先端金具の前端の没入による保護を、本体軸の短縮に伴う後軸の前方への押し込みによって容易に行うことができる。
さらに、先端金具内に、芯出し機構を内蔵させるとともに、この芯出し機構を、後軸の後端に設けたノックキャップのノック操作によって作動させることにより、先端金具の前端から芯出しが可能となるようにしてあるため、使用時の芯出し操作を容易に行うことができる。
【００１３】
請求項２項記載の発明によれば、先軸に後軸の前端を内挿して、後軸を先軸に対して相対的に軸方向に移動可能に構成して、本体軸を伸縮可能にしているため、携帯の便宜性を高めることができる。
また、先軸内に先端金具を一体に固定して設け、この先端金具の前端を、先軸の前端から突出させるとともに、先軸の前端に、先端金具の前端を保護しうるスライド金具を、先軸に対して相対的に軸方向に移動可能に設け、後軸を後方に引張って本体軸を伸長状態にすることにより、スライド金具が後方に移動して、先端金具の前端がスライド金具より露出されるようにし、かつ後軸を前方に押し込んで、本体軸を短縮状態にすることにより、スライド金具が前方に移動して、先端金具の前端をスライド金具内に没入状態で保護しうるようにしてあるため、使用時における先端金具の前端の露出を、本体軸の伸長に伴う後軸の後方への引張りによって行い、不使用時における先端金具の前端の没入による保護を、本体軸の短縮に伴う後軸の前方への押し込みによって容易に行うことができる。
さらに、先端金具に、後軸の後端に設けたノックキャップのノック操作に連動して軸方向に移動する芯収容パイプによって作動する芯出し機構を内蔵させるとともに、芯収容パイプと後軸とがロック機構によってロックされて、両者の相対的な軸方向の移動が規制され、後軸の後端に設けたノックキャップのノック操作によって、芯収容パイプを介して芯出し機構が作動し、先端金具の前端から芯出しが可能となるようにしてあるため、使用時の芯出し操作を容易に行うことができる。
【００１４】
請求項３記載の発明によれば、スライド金具を、付勢体により後方に向けて付勢することにより、本体軸の後軸を後方へ引張り動作したときに、これに追従して後方に移動して、所定の後退位置で停止するとともに、後軸を前方へ押込み動作したときに、スライド金具と後軸との間に介在した押し棒により、付勢体の付勢力に抗して、元の位置に移動させうるようにしてあるため、先端金具における前端の露出および没入を容易に行わせることができる。
【００１５】
請求項４記載の発明によれば、ロック機構を、本体軸の外側から操作しうる操作ボタンと、後軸を後方に引張って本体軸を伸長状態にしたときに、自動的にロック状態となるロック部とにより構成し、操作ボタンの操作により、ロック部のロックが解除されるようにしてあるため、本体軸の伸長および短縮操作を容易に行うことができる。
【００１６】
請求項５記載の発明によれば、ロック機構を、頭部を後軸の外周に突出させた解除ボタンと、この解除ボタンに一体に連係し、かつ芯収容パイプが軸方向に内挿される筒状ストッパと、この筒状ストッパの内周面を芯収容パイプの外周面に弾性的に摺接しうるように、解除ボタンを芯収容パイプの径方向の外方に向けて付勢する付勢体とにより構成するとともに、芯収容パイプの後端部に、本体軸の伸長状態において後軸を後方に引張ったときに、筒状ストッパの内周面が前記付勢体の付勢力により係止される係止段部を設けて、後軸と芯収容パイプとがノック操作に協動しうるようにロック可能にしてあるため、本体軸の伸長および短縮操作を容易に行うことができる。
【００１７】
請求項６記載の発明によれば、後軸と芯収容パイプとのロック状態において、後軸の前端と押し棒の後端との間に、ノックキャップのノック操作によりスライダ金具を移動させずに芯出し機構を作動せしめるようにするためのノック間隔を形成してあるため、ノックキャップのノック操作時に、後軸を前方に移動させても、後軸の前端が押し棒の後端に干渉することがなく、これにより、ノック操作時におけるスライド金具の誤作動を防止することができる。
【発明を実施するための最良の形態】
【００１８】
以下、本発明の実施形態を、図面に基づいて説明する。
図１は、本発明の伸縮式シャープペンシルにおける不使用時の短縮状態を示す縦断面図、図２は、同じく、使用時の伸長状態を示す縦断面図、図３は、ロック機構のロック状態を示す要部拡大断面図、図４は、ノック操作時の縦断面図、図５は、ロック機構のロック解除状態を示す要部拡大断面図である。
【００１９】
本発明の伸縮式シャープペンシルは、図１に示すように、本体軸１が、先軸２と、この先軸２内に前端部３ａが内挿状態で嵌挿されて後方に延びる後軸３とにより構成されている。
後軸３は、先軸２に対して規制された後方への移動範囲Ｌ1内で相対的に軸方向に移動可能であり、これにより、本体軸１が伸縮可能となっている。
【００２０】
先軸２内には、先端金具４が配設されており、この先端金具４は、前端４ａが先軸２の前端２ａから突出し、その後端４ｂが、環状の先端金具固定具５によって、先軸２に一体に固定されて組み付けられているとともに、芯出し機構６が内蔵されている。
【００２１】
芯出し機構６は、チャック７、締付リング８を備えた公知の芯出し構造からなり、本体軸１内に先軸２と後軸３との間に跨って装填された芯収容パイプ９に連係しうるようになっているとともに、先端金具４内における芯収容パイプ９の前端と芯出し機構６の後端との間には、芯収容パイプ９を後方に向けて付勢するスプリング１０が介装されている。
【００２２】
芯出し機構６は、後記するように、後軸３の後端部３ｂに設けたノックキャップ１１のノック操作に連動して、芯収容パイプ９を軸方向の前後に往復移動させることにより、芯収容パイプ９内に収容されたシャープペンシル芯Ｗの芯先が１回のノック操作毎に所定の繰出量で送芯されるようになっている。
【００２３】
先軸２と先端金具４との間には、先端金具４の前端４ａを出没させるためのスライド金具１２が軸方向に移動可能に設けられている。
このスライド金具１２は、スプリング１３によって後方に向けて付勢されているとともに、図１に仮想線で示すように、後軸３の後方への移動に追従して、先端金具４に対して相対的に後方に移動し、先端金具４の前端４ａを露出させるようになっている。
【００２４】
スライド金具１２の移動範囲Ｌ2は、スライド金具１２の後方に位置する先端金具固定具５によって規制され、この後退位置において、図２に示すように、先端金具４の前端４ａが露出した使用状態に維持されるようになっている。
【００２５】
スライド金具１２の後端には、後軸３の前端に向けて後方に一体に延びる複数本の押し棒１４が、先端金具固定具６を貫通して設けられている。
【００２６】
これらの押し棒１４は、後軸３の前方への移動により、スプリング１３の付勢力に抗してスライダ金具１２を、先端金具４の前端４ａがスライダ金具１２内に没入される方向に向けて移動させ、その前進位置において、図１に示すように、先端金具５の前端５ａがスライド金具１２内に没入されるように、先端金具５の前端５ａを保護しうる不使用状態となる。
【００２７】
後軸３と芯収容パイプ９との間には、ロック機構１５が設けられ、このロック機構１５は、本体軸１の外側から操作される解除ボタン１６と、この解除ボタン１６に一体に連係する筒状ストッパ１７とを有するとともに、筒状ストッパ１７には、芯収容パイプ９が軸方向に貫通して内挿されている。
【００２８】
解除ボタン１６は、ロック用スプリング１８によって、芯収容パイプ９の径方向の外方に向けて付勢され、その頭部１６ａを後軸３に開口した孔１９から突出させてなるとともに、筒状ストッパ１７の下部内周面１７ａが芯収容パイプ９の下部外周面９ａに弾性的に摺接しうるようになっている。
【００２９】
ロック機構１５は、図１に示す不使用時における本体軸１の短縮状態から、図１に仮想線で示すように、後軸３を後方に引張って移動させることにより、本体軸１を伸長させて使用状態にするときに、図２に示すように、後軸３と協動して移動し、図３に示すように、筒状ストッパ１７の内周面１７ａが、芯収容パイプ９の後端部を細径にして形成した係止段部２０に、ロック用スプリング１８の付勢力により自動的にロック状態となるように係止され、後軸３と芯収容パイプ９の相対的な軸方向の移動が規制されるようになっている
【００３０】
これにより、使用時における本体軸１が、伸長状態を維持しうるようになっているとともに、図２に示すように、後軸３の前端と押し棒１４の後端との間に、ノックキャップ１１のノック操作によりスライダ金具１２を移動させずに芯出し機構６が作動されるように、後軸３の移動を許容するためのノック間隔Ｌ3が形成されるようになっている。
【００３１】
すなわち、本体軸１の伸長状態において、図４に示すように、先端金具４の前端４ａを露出させた状態で、後軸３を、ノックキャップ１１を介してノック操作することにより、芯収容パイプ９内に収容されたシャープペンシル芯Ｗの芯先が、先端金具４の前端４ａから繰り出されるようになっている。
【００３２】
また、ロック機構１５は、本体軸１の伸長状態において、図５に示すように、後軸３の外周面から突出する解除ボタン１６の頭部１６ａを、指等によりロック用スプリング１８の付勢力に抗して下方に向けて押し込むように操作することにより、後軸３と芯収容パイプ９とのロック部がロック解除されるようになっている。
【００３３】
次に、本実施形態における伸縮式シャープペンシルの操作手順を説明すると、図１に示すように、不使用時における本体軸１の短縮状態において、先軸２を握持しながら、後軸３を後方に向けて引張ることにより、図２に示すように、後軸３が先軸２に対して相対的に後方に移動する。
【００３４】
このとき、スライダ金具１２は、後軸３の移動に伴って、スプリング１３の付勢力によって後方に追従して、先端金具４の前端４ａを露出させる方向に移動し、先端金具４の前端４ａに突出するシャープペンシル芯Ｗの芯先を露出させると同時に、ロック機構１５も、ロック用スプリング１８の付勢力によって、筒状ストッパ１７の下部内周面１７ａが芯収容パイプ９の下部外周面９ａに摺接しながら後方に移動する。
【００３５】
次いで、後軸３の移動によって、ロック機構１５の筒状ストッパ１７が、芯収容パイプ９の後端部に形成した係止段部２０に到達すると、図２、図３に示すように、筒状ストッパ１７の下部内周面１７ａが、ロック用スプリング１８の付勢力によって、係止段部２０に係止され、後軸３と芯収容パイプ９とが自動的にロックされて、両者の相対的な軸方向の移動が規制されるとともに、後軸３の前方への移動が阻止される。
これにより、本体軸１が伸長状態に維持されて、筆記が可能な使用状態となる。
【００３６】
次いで、本体軸１の伸長状態において、図４に示すように、後軸３の後端部３ｂに設けたノックキャップ１１を前方に押動すると、スプリング１０の付勢力に抗して、後軸３は、芯収容パイプ９と協動して、後軸３の前端と押し棒１４の後端との間に形成したノック間隔Ｌ3の存在により、軸方向の前後の移動が可能となり、スライダ金具１２を移動させずに、ノックキャップ１１のノック操作により、芯出し機構６が作動して、芯収容パイプ９内に収容されたシャープペンシル芯Ｗの芯出しがなされる。
【００３７】
使用時の本体軸１が伸長した状態から、不使用時の本体軸１が短縮した状態にする場合には、図５に示すように、後軸３の外周面から突出する解除ボタン１６の頭部１６ａを、指等によりロック用スプリング１８の付勢力に抗して下方に向けて押すことにより、筒状ストッパ１７の内周面１７ａと係止段部２０との係止状態が開放されて、後軸３と芯収容パイプ９とのロック部のロックが解除され、次いで、後軸３を後方へ引張り、図１に示す状態とすればよい。
【図面の簡単な説明】
【００３８】
【図１】本発明の伸縮式シャープペンシルにおける不使用時の短縮状態を示す縦断面図である。
【図２】同じく、使用時の伸長状態を示す縦断面図である。
【図３】ロック機構のロック状態を示す要部拡大断面図である。
【図４】ノック操作時の縦断面図である。
【図５】ロック機構のロック解除状態を示す要部拡大断面図である。
【符号の説明】
【００３９】
１    本体軸
２    先軸
２ａ  前端
３    後軸
３ａ  前端部
３ｂ  後端部
４    先端金具
４ａ  前端
４ｂ  後端
５    先端金具固定具
６    芯出し機構
７    チャック
８    締付リング
９    芯収容パイプ
９ａ  下部外周面
１０  スプリング
１１  ノックキャップ
１２  スライド金具
１３  スプリング
１４  押し棒
１５  ロック機構
１６  解除ボタン
１６ａ  頭部
１７  筒状ストッパ
１８  ロック用スプリング
１９  孔
２０  係止段部
Ｗ    シャープペンシル芯
Ｌ1    先軸に対する後軸の移動範囲
Ｌ2    スライド金具の移動範囲
Ｌ3    ノック間隔
【図１】
2009196258.tif 000003
【図２】
2009196258.tif 000004
【図３】
2009196258.tif 000005
【図４】
2009196258.tif 000006
【図５】
2009196258.tif 000007